(57)【要約】【課題】高温環境下において、高密度光記録媒体に高速記録を行なった場合でも、容易に光記録媒体を評価できる方法、評価装置及び評価システムを提供する。【解決手段】基底パワーＰｂのレベルを、設定された常温における最適記録条件よりも高く、かつ、バイアスパワーのレベルよりも低い値、特に、必要とされる高温環境下で形成した記録マーク及びブランクの高温環境下における再生時のジッタ値が最低となるようにすることで、記録時のレーザ光をパルストレイン状に照射することにより形成された記録マーク及びブランクの状態での記録特性を評価する。【選択図】図４
2008165942.tif 000002
【特許請求の範囲】
【請求項１】
記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、
前記基底パワーのレベルを、設定された最適記録条件における基底パワーのレベルである最適基底レベルよりも高いレベルとして、前記記録レーザ光を前記パルストレイン状に照射することにより記録層に形成された記録マーク及びブランクの状態での記録特性を取得し、該記録特性を評価することを特徴とする光記録媒体の評価方法。
【請求項２】
請求項１において、
設定された前記最適記録条件は、常温環境下における最適記録条件であることを特徴とする光記録媒体の評価方法。
【請求項３】
請求項１又は２において、
前記記録パワー及び前記バイアスパワーのレベルを一定として、前記バイアスパワーのレベルよりも低い範囲で、前記基底パワーのレベルを高くすることを特徴とする光記録媒体の評価方法。
【請求項４】
請求項１乃至３のいずれかにおいて、
予め、前記光記録媒体と同種の他の光記録媒体について、目標とする高温環境下で形成した記録マーク及びブランクの、前記高温環境下における再生時のジッタ値である高温ジッタ値、又は前記高温環境下における再生時のエラー値である高温エラー値が最低となる時の基底パワーのレベルである高温ジッタ値最適基底レベルを求め、該高温ジッタ値最適基底レベルを、前記最適基底レベルとすることを特徴とする光記録媒体の評価方法。
【請求項５】
記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、
評価対象の光記録媒体と同種の他の記録媒体について、基底パワーのレベルを、常温環境下における再生時のジッタ値である常温ジッタ値、又は常温環境下における再生時のエラー値である常温エラー値が最低となる時の基底パワーのレベルである常温ジッタ値最適基底レベルとし、且つ、目標とする高温環境下で、前記基底パワーのレベルを、前記常温ジッタ値最適基底レベルから段階的に増加させて、段階毎に記録マーク及びブランクを形成し、その記録マーク及びブランクの高温ジッタ値又は高温エラー値と、
常温環境下で、前記基底パワーのレベルを、前記常温ジッタ値最適基底レベルから段階的に増加させて、段階毎に記録マーク及びブランクを形成し、その記録マーク及びブランクの常温ジッタ値又は常温エラー値と、を段階ごとに得て、
これら前記高温ジッタ値又は高温エラー値と、前記常温ジッタ値又は前記常温エラー値との相関関係を予め求めておき、前記評価対象の光記録媒体に対して、常温ジッタ値又は常温エラー値を求めることによって、前記評価対象の光記録媒体の高温ジッタ値又は高温エラー値を推測し、該高温ジッタ値又は該高温エラー値を評価することを特徴とする光記録媒体の評価方法。
【請求項６】
記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、
評価対象の光記録媒体と同種の他の記録媒体について、基底パワーのレベルを、常温環境下で形成した記録マーク及びブランクの、常温環境下における再生時の出力値が最大となる時の基底パワーのレベルである常温出力値最適基底レベルとし、且つ、目標とする高温環境下で、前記基底パワーのレベルを、前記常温出力値最適基底レベルから段階的に増加させて、段階毎に記録マーク及びブランクを形成し、その記録マーク及びブランクの高温環境下における再生時の出力値である高温出力値と、
常温環境下で、前記基底パワーのレベルを、前記常温出力値最適基底レベルから段階的に増加させて、段階毎に記録マーク及びブランクを形成し、その記録マーク及びブランクの常温出力値と、を段階ごとに得て、
前記高温出力値と、前記常温出力値との相関関係を予め求めておき、前記評価対象の光記録媒体について、常温出力値を求めることによって、前記評価対象の光記録媒体の高温出力値を推測し、該高温出力値を評価することを特徴とする光記録媒体の評価方法。
【請求項７】
記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、
評価対象の光記録媒体と同種の他の記録媒体について、基底パワーのレベルを、常温ジッタ値最適基底レベルとし、且つ、目標とする高温環境下で、前記基底パワーレベルを、前記常温ジッタ値最適基底レベルから段階的に増加させて、段階毎に記録マーク及びブランクを形成し、その記録マーク及びブランクの高温ジッタ値又は高温エラー値と、
常温環境下で、前記基底パワーのレベルを、前記常温ジッタ値最適基底レベルから段階的に増加させて、段階毎に記録マーク及びブランクを形成し、その記録マーク及びブランクの常温ジッタ値又は常温エラー値と、を段階ごとに得て、
これら前記高温ジッタ値又は前記高温エラー値と、前記常温ジッタ値又は常温エラー値における前記基底パワーのレベルのマージンとの相関関係を予め求めておき、前記評価対象の光記録媒体について、の常温ジッタ値又は常温エラー値における基底パワーのレベルのマージンを求めることによって、前記評価対象の光記録媒体の高温ジッタ値又は高温エラー値を推測し、該高温ジッタ値又は該高温エラー値を評価することを特徴とする光記録媒体の評価方法。
【請求項８】
記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、
評価対象の光記録媒体と同種の他の記録媒体について、基底パワーのレベルを、常温出力値最適基底レベルとし、且つ、目標とする高温環境下で、前記基底パワーのレベルを、前記常温出力値最適基底レベルから段階的に増加させて、段階毎に記録マーク及びブランクを形成し、その記録マーク及びブランクの高温出力値と、
常温環境下で、前記基底パワーのレベルを、前記常温出力値最適基底レベルから段階的に増加させて、段階毎に記録マーク及びブランクを形成し、その記録マーク及びブランクの常温出力値と、を段階ごとに得て、
前記高温出力値と、前記常温出力値における前記基底パワーのレベルのマージンとの相関関係を予め求めておき、前記評価対象の光記録媒体について、常温出力値における基底パワーのレベルのマージンを求めることによって、前記評価対象の光記録媒体の高温出力値を推測し、該高温出力値を評価することを特徴とする光記録媒体の評価方法。
【請求項９】
記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、
評価対象の光記録媒体と同種の他の記録媒体について、基底パワーのレベルを、高温ジッタ値最適基底レベルとし、該高温ジッタ値最適基底レベルの基底パワーでの記録特性を予め求めておき、前記評価対象の光記録媒体について、基底パワーの高温ジッタ値最適基底レベルを求めることによって、前記評価対象の光記録媒体の記録特性を推測し、該記録特性を評価することを特徴とする光記録媒体の評価方法。
【請求項１０】
記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価装置であって、
評価対象の光記録媒体の常温ジッタ値又は常温エラー値を入力する入力部と、
前記評価対象の光記録媒体と同種の他の光記録媒体における高温ジッタ値又は高温エラー値と、常温ジッタ値又は常温エラー値との相関関係を、記録時のレーザ光の前記基底パワーのレベルとの関係で予め記憶しておく記憶部と、
前記入力された常温ジッタ値又は前記入力された常温エラー値と前記相関関係から、記録時のレーザ光の前記基底パワーのレベルとの関係で前記評価対象の光記録媒体の高温ジッタ値又は高温エラー値を推測する情報処理部と、
前記推測された高温ジッタ値又は高温エラー値を表示する表示部と、
を備えることを特徴とする光記録媒体の評価装置。
【請求項１１】
記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価システムであって、
評価対象の光記録媒体の常温ジッタ値又は常温エラー値を入力する入力部を含む入力装置と、
前記評価対象の光記録媒体と同種の他の光記録媒体における高温ジッタ値又は高温エラー値と、常温ジッタ値又は常温エラー値との相関関係を、記録時のレーザ光の前記基底パワーのレベルとの関係で予め記憶しておく記憶部を含む記憶装置と、
前記入力された常温ジッタ値又は前記入力された常温エラー値と前記相関関係から、記録時のレーザ光の基底パワーのレベルとの関係で前記評価対象の光記録媒体の高温ジッタ値又は高温エラー値を推測する情報処理部を含む情報処理装置と、
前記推測された高温ジッタ値又は高温エラー値を表示する表示部を含むディスプレイと、
からなることを特徴とする光記録媒体の評価システム。
【発明の詳細な説明】
【技術分野】
【０００１】
本発明は、光記録媒体の高温環境下での高速記録の記録特性を評価する方法、評価装置及び評価システムに関する。
【背景技術】
【０００２】
現在、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ；商標）等の光記録媒体を用いて多種多様なコンテンツの記録や再生が行なわれている。これらの光記録媒体を生産するにあたり、その特性を維持するために、様々な評価項目が設定されており、ジッタ値、ＢＥＲ（Ｂｉｔ  Ｅｒｒｏｒ  Ｒａｔｅ）、ＳＥＲ（Ｓｅｃｔｏｒ  Ｅｒｒｏｒ  Ｒａｔｅ）等の記録特性は、光記録媒体に正確に情報が記録されているかを示す指標である。特に近年、高密度記録、高速記録の要求が高まることで、光記録媒体に情報を記録する際のレーザ光による熱の影響が無視できない要因となってきている。
【発明の開示】
【発明が解決しようとする課題】
【０００３】
本発明者らは、更に、光記録媒体に情報を記録する際のレーザ光による熱の影響は、光記録媒体に情報を記録する際の環境（温度環境）によっても、その影響に差異が生じることを見いだした。即ち、光記録媒体に情報を記録する際の温度環境（例えば、記録装置自体が使用される環境の温度が高い場合と低い場合や、記録装置自体の温度が高い場合と低い場合など）程度のレベルの温度の違いが、光記録媒体に情報を記録する際のレーザ光による熱（比較してかなり高い温度）にまで影響を与えることを確認するに至った。そこで、このような温度環境下（高温環境下）での記録特性を評価することによる光記録媒体の品質維持が特に重要であることから、このような高温環境下での記録再生特性の評価を行う必要が出てきた。
【０００４】
しかし、光記録媒体に対するこのような評価は、高温環境下で行わなければならないという煩雑さにつながるとともに、記録装置共々高温環境下においての評価となると、光記録媒体そのものが温度に影響を受けているのか、記録装置が影響を受けているのかという要因分析が困難であるという課題が生じる。このような状況を鑑みて、光記録媒体が高温環境下で用いられる場合の記録特性を容易に測定し、評価することができる方法が必要となる。
【０００５】
本発明の目的は、高密度光記録媒体に対して、高温環境下において、高速記録を行なった場合（熱による影響を評価するにあたり）でも、容易に熱による影響も考慮に入れた記録特性を評価できる方法、評価装置及び評価システムを提供することにある。
【課題を解決するための手段】
【０００６】
本発明者は、光記録媒体に照射するレーザ光の基底パワーＰｂを高くして、ジッタ値、出力値、エラー値のＰｂマージンを測定すると、高温環境下におけるジッタ値、出力値、エラー値のＰｂマージンと相関があり、常温環境下（２５℃）におけるＰｂ＝０．４ｍＷのジッタ値、出力値が高温環境下（６０℃）における記録特性に相当することを見出した。又、冷却効果の異なる光記録媒体においても同様の相関があり、これにより、常温環境下における光記録媒体の記録特性から、冷却効果の異なる記録媒体の高温環境下における記録特性を推測することができることを見出した。
【０００７】
即ち、以下の実施例により、上記課題を解決することができる。
【０００８】
（１）記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、前記基底パワーのレベルを、設定された最適記録条件における基底パワーのレベルである最適基底レベルよりも高いレベルとして、前記記録レーザ光を前記パルストレイン状に照射することにより記録層に形成された記録マーク及びブランクの状態での記録特性を取得し、該記録特性を評価することを特徴とする光記録媒体の評価方法。
【０００９】
（２）設定された前記最適記録条件は、常温環境下における最適記録条件であることを特徴とする（１）に記載の光記録媒体の評価方法。
【００１０】
（３）前記記録パワー及び前記バイアスパワーのレベルを一定として、前記バイアスパワーのレベルよりも低い範囲で、前記基底パワーのレベルを高くすることを特徴とする（１）又は（２）に記載の光記録媒体の評価方法。
【００１１】
（４）予め、前記光記録媒体と同種の他の光記録媒体について、目標とする高温環境下で形成した記録マーク及びブランクの、前記高温環境下における再生時のジッタ値である高温ジッタ値、又は前記高温環境下における再生時のエラー値である高温エラー値が最低となる時の基底パワーのレベルである高温ジッタ値最適基底レベルを求め、該高温ジッタ値最適基底レベルを、前記最適基底レベルとすることを特徴とする（１）乃至（３）のいずれかに記載の光記録媒体の評価方法。
【００１２】
（５）記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、評価対象の光記録媒体と同種の他の記録媒体について、基底パワーのレベルを、常温環境下における再生時のジッタ値である常温ジッタ値、又は常温環境下における再生時のエラー値である常温エラー値が最低となる時の基底パワーのレベルである常温ジッタ値最適基底レベルとし、且つ、目標とする高温環境下で、前記基底パワーのレベルを、前記常温ジッタ値最適基底レベルから段階的に増加させて、段階毎に記録マーク及びブランクを形成し、その記録マーク及びブランクの高温ジッタ値又は高温エラー値と、常温環境下で、前記基底パワーのレベルを、前記常温ジッタ値最適基底レベルから段階的に増加させて、段階毎に記録マーク及びブランクを形成し、その記録マーク及びブランクの常温ジッタ値又は常温エラー値と、を段階ごとに得て、これら前記高温ジッタ値又は高温エラー値と、前記常温ジッタ値又は前記常温エラー値との相関関係を予め求めておき、前記評価対象の光記録媒体に対して、常温ジッタ値又は常温エラー値を求めることによって、前記評価対象の光記録媒体の高温ジッタ値又は高温エラー値を推測し、該高温ジッタ値又は該高温エラー値を評価することを特徴とする光記録媒体の評価方法。
【００１３】
（６）記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、評価対象の光記録媒体と同種の他の記録媒体について、基底パワーのレベルを、常温環境下で形成した記録マーク及びブランクの、常温環境下における再生時の出力値が最大となる時の基底パワーのレベルである常温出力値最適基底レベルとし、且つ、目標とする高温環境下で、前記基底パワーのレベルを、前記常温出力値最適基底レベルから段階的に増加させて、段階毎に記録マーク及びブランクを形成し、その記録マーク及びブランクの高温環境下における再生時の出力値である高温出力値と、常温環境下で、前記基底パワーのレベルを、前記常温出力値最適基底レベルから段階的に増加させて、段階毎に記録マーク及びブランクを形成し、その記録マーク及びブランクの常温出力値と、を段階ごとに得て、前記高温出力値と、前記常温出力値との相関関係を予め求めておき、前記評価対象の光記録媒体について、常温出力値を求めることによって、前記評価対象の光記録媒体の高温出力値を推測し、該高温出力値を評価することを特徴とする光記録媒体の評価方法。
【００１４】
（７）記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、評価対象の光記録媒体と同種の他の記録媒体について、基底パワーのレベルを、常温ジッタ値最適基底レベルとし、且つ、目標とする高温環境下で、前記基底パワーレベルを、前記常温ジッタ値最適基底レベルから段階的に増加させて、段階毎に記録マーク及びブランクを形成し、その記録マーク及びブランクの高温ジッタ値又は高温エラー値と、常温環境下で、前記基底パワーのレベルを、前記常温ジッタ値最適基底レベルから段階的に増加させて、段階毎に記録マーク及びブランクを形成し、その記録マーク及びブランクの常温ジッタ値又は常温エラー値と、を段階ごとに得て、これら前記高温ジッタ値又は前記高温エラー値と、前記常温ジッタ値又は常温エラー値における前記基底パワーのレベルのマージンとの相関関係を予め求めておき、前記評価対象の光記録媒体について、の常温ジッタ値又は常温エラー値における基底パワーのレベルのマージンを求めることによって、前記評価対象の光記録媒体の高温ジッタ値又は高温エラー値を推測し、該高温ジッタ値又は該高温エラー値を評価することを特徴とする光記録媒体の評価方法。
【００１５】
（８）記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、評価対象の光記録媒体と同種の他の記録媒体について、基底パワーのレベルを、常温出力値最適基底レベルとし、且つ、目標とする高温環境下で、前記基底パワーのレベルを、前記常温出力値最適基底レベルから段階的に増加させて、段階毎に記録マーク及びブランクを形成し、その記録マーク及びブランクの高温出力値と、常温環境下で、前記基底パワーのレベルを、前記常温出力値最適基底レベルから段階的に増加させて、段階毎に記録マーク及びブランクを形成し、その記録マーク及びブランクの常温出力値と、を段階ごとに得て、前記高温出力値と、前記常温出力値における前記基底パワーのレベルのマージンとの相関関係を予め求めておき、前記評価対象の光記録媒体について、常温出力値における基底パワーのレベルのマージンを求めることによって、前記評価対象の光記録媒体の高温出力値を推測し、該高温出力値を評価することを特徴とする光記録媒体の評価方法。
【００１６】
（９）記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価方法であって、評価対象の光記録媒体と同種の他の記録媒体について、基底パワーのレベルを、高温ジッタ値最適基底レベルとし、該高温ジッタ値最適基底レベルの基底パワーでの記録特性を予め求めておき、前記評価対象の光記録媒体について、基底パワーの高温ジッタ値最適基底レベルを求めることによって、前記評価対象の光記録媒体の記録特性を推測し、該記録特性を評価することを特徴とする光記録媒体の評価方法。
【００１７】
（１０）記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価装置であって、評価対象の光記録媒体の常温ジッタ値又は常温エラー値を入力する入力部と、前記評価対象の光記録媒体と同種の他の光記録媒体における高温ジッタ値又は高温エラー値と、常温ジッタ値又は常温エラー値との相関関係を、記録時のレーザ光の前記基底パワーのレベルとの関係で予め記憶しておく記憶部と、前記入力された常温ジッタ値又は前記入力された常温エラー値と前記相関関係から、記録時のレーザ光の前記基底パワーのレベルとの関係で前記評価対象の光記録媒体の高温ジッタ値又は高温エラー値を推測する情報処理部と、前記推測された高温ジッタ値又は高温エラー値を表示する表示部と、を備えることを特徴とする光記録媒体の評価装置。
【００１８】
（１１）記録時のレーザ光を、少なくとも、記録パワー、基底パワー、バイアスパワーの３つのレベルのパワーを用いてパルストレイン状に照射することによって記録層に記録マーク及びブランクを形成して情報を記録することが可能に構成された光記録媒体の評価システムであって、評価対象の光記録媒体の常温ジッタ値又は常温エラー値を入力する入力部を含む入力装置と、前記評価対象の光記録媒体と同種の他の光記録媒体における高温ジッタ値又は高温エラー値と、常温ジッタ値又は常温エラー値との相関関係を、記録時のレーザ光の前記基底パワーのレベルとの関係で予め記憶しておく記憶部を含む記憶装置と、前記入力された常温ジッタ値又は前記入力された常温エラー値と前記相関関係から、記録時のレーザ光の基底パワーのレベルとの関係で前記評価対象の光記録媒体の高温ジッタ値又は高温エラー値を推測する情報処理部を含む情報処理装置と、前記推測された高温ジッタ値又は高温エラー値を表示する表示部を含むディスプレイと、からなることを特徴とする光記録媒体の評価システム。
【発明の効果】
【００１９】
本発明によれば、高密度光記録媒体に対して、高温環境下において、高速記録をした場合の熱による影響を考慮に入れた記録特性を容易に評価することができる。これにより、記録特性の評価にかける手間と時間を省くことができる。
【発明を実施するための最良の形態】
【００２０】
以下、本発明の実施例について、図面を参照して詳細に説明する。
【実施例】
【００２１】
図１に示されるように、本発明の実施例に係る評価装置３０は、入力部３１と、記憶部３２と、情報処理部３４と、表示部３６を備えて構成されている。
【００２２】
入力部３１は、評価対象の光記録媒体の常温ジッタ値又は常温エラー値を情報処理部３４へ供給するようにされている。なお、評価対象の光記録媒体は、後述する記憶部３２にジッタ値等の記録特性が予め記憶されている、基準となる光記録媒体（以下、基準光記録媒体という）と同種のものであり、記録時のレーザ光を、少なくとも、記録パワーＰｗ、基底パワーＰｂ、バイアスパワーＰｅの３つのレベルのパワーを用いてパルストレイン状に照射することによって記録層に記録マーク及びブランクを形成して情報を記録することが可能に構成された光記録媒体である。
【００２３】
また、常温ジッタ値とは、常温環境下で形成した記録マーク及びブランクの常温環境下における記録再生時のジッタ値をいい、常温エラー値とは、常温環境下で形成した記録マーク及びブランクの常温環境下における記録再生時のエラー値をいう。後述する高温ジッタ値とは、高温環境下で形成した記録マーク及びブランクの高温環境下における記録再生時のジッタ値をいい、高温エラー値とは、高温環境下で形成した記録マーク及びブランクの高温環境下における記録再生時のエラー値をいう。
【００２４】
記憶部３２は、基準光記録媒体の高温ジッタ値又は高温エラー値と、常温ジッタ値又は常温エラー値との相関関係を、記録時のレーザ光の基底パワーのレベルと対応付けて記憶しておき、情報処理部３４に供給するようにされている。ここで、パルストレインとは、レーザ光の出射パルス列のことをいう。また、相関関係は、例えば折れ線グラフで表されるような線図であってもよいし、それぞれの数値を収めたデータベースであってもよい。いずれにしても、予め記憶されるサンプル数は多ければ多い程光記録媒体を正確に評価できることとなる。さらに、相関関係は、高温ジッタ値と常温ジッタ値との相関関係、又は高温エラー値と常温エラー値との相関関係のどちらを採用してもよいし、両者を採用して総合的に判断するようにしてもよい。
【００２５】
情報処理部３４は、入力部３１から供給された常温ジッタ値と、記憶部３２から供給された基準光記録媒体の高温ジッタ値又は高温エラー値と常温ジッタ値又は常温エラー値との相関関係と、から記録時のレーザ光の基底パワーのレベルとの関係で、他の同種の光記評価対象の録媒体の高温ジッタ値又は高温エラー値を推測し、表示部３６に供給するようにされている。
【００２６】
表示部３６は、情報処理部３４から供給された高温ジッタ値を表示するようにされている。
【００２７】
基準光記録媒体の高温ジッタ値又は高温エラー値と常温ジッタ値又は常温エラー値は、予め測定装置（図示しない）により測定され、記憶部３２に記憶されている。評価対象の光記録媒体の高温ジッタ値又は高温エラー値を求めるときは、評価対象の光記録媒体に対し、予め基準光記録媒体の常温ジッタ値又は常温エラー値を求めたときと同様に、又は記録マーク及びブランクを形成し、その記録マーク及びブランクを常温環境下で再生して評価対象の光記録媒体の常温ジッタ値又は常温エラー値を取得する。
【００２８】
そして、その常温ジッタ値を入力部３１に入力すると、入力部３１は情報処理部３４に評価対象の光記録媒体の常温ジッタ値を供給し、記憶部３２は予め記憶しておいた基準光記録媒体の高温ジッタ値又は高温エラー値と、常温ジッタ値又は常温エラー値との相関関係を情報処理部３４に供給する。情報処理部３４は、入力部３１から供給された評価対象の光記録媒体の常温ジッタ値と、記憶部３２から供給された基準光記録媒体の高温ジッタ値又は高温エラー値と、常温ジッタ値又は常温エラー値との相関関係と、から評価対象の光記録媒体の高温ジッタ値又は高温エラー値を推測し、評価対象の光記録媒体の高温ジッタ値又は高温エラー値を表示部３６に供給する。表示部３６は、情報処理部３４から供給された評価対象の光記録媒体の高温ジッタ値又は高温エラー値を表示する。この評価対象の光記録媒体の高温ジッタ値又は高温エラー値を評価すれば、評価対象の光記録媒体の高温環境下における記録特性を評価することができる。
【００２９】
入力部３１、記憶部３２、情報処理部３４及び表示部３６はそれぞれ独立していてもよい。例えば、図２に示すように、入力部３１は入力装置４１に、記憶部３２は記憶装置４２に、情報処理部３４は情報処理装置４４に、表示部３６はディスプレイ４６にあり、情報処理装置４４に、入力装置４１、記憶装置４２、ディスプレイ４６を接続することで、光記録媒体の評価システムを構築することができる。
【００３０】
図３は本発明の実施例１に係る評価方法により評価される光記録媒体１０である。この光記録媒体１０は、基板１２上に、反射層１４、第２の誘電体層１６、記録層１８、第１の誘電体層２０、光透過層２２とをこの順で設け、光透過層２２側からレーザ光が入射するように構成されている。
【００３１】
基板１２は、例えばポリカーボネート（ＰＣ）から形成されており、そのグルーブピッチは０．３２μｍである。反射層１４は、Ａｇ若しくはＡｇ合金を含んで形成される。第１及び第２の誘電体層は、１層の誘電体膜からなる単層構造であってもよいし、２層以上の誘電体膜からなる積層構造であってもよい。これら第１及び第２の誘電体層の材料としては特に限定されないが、ＳｉＯ２、Ｓｉ３Ｏ４、Ａｌ２Ｏ３、ＡｌＮ、ＴａＯ、ＺｎＳ、ＣｅＯ２等、Ｓｉ、Ａｌ、Ｔａ、Ｚｎの酸化物、窒化物、硫化物、炭化物あるいはそれらの混合物を用いることが好ましい。記録層１８は、ここでは相変化材料によって構成され、結晶状態である場合の反射率とアモルファス状態である場合の反射率とが異なることを利用してデータの記録が行われる。具体的な材料としては、特に限定されるものではないがＳｂＴｅ系材料を用いることが好ましい。ＳｂＴｅ系材料としてはＳｂＴｅのみでもよいし、添加物としてＩｎ、Ｔｅ、Ｇｅ、Ａｇ等を加えたＩｎＳｂＴｅＧｅやＡｇＩｎＳｂＴｅ、ＡｇＳｂＴｅＧｅ、ＡｇＩｎＳｂＴｅＧｅ等を用いることができる。この光記録媒体の冷却効果の異なるサンプルとして三水準作製した。
【００３２】
サンプルＡは、反射層１４がＡｇＰｄＣｕ合金からなる反射膜を含み、第２の誘電体層１６がＳｉＯ２：ＺｎＳ（ｍｏｌ％）５０：５０から構成され、第１の誘電体層２０がＡｌＮから構成されている。
【００３３】
サンプルＢは、反射層１４がＡｇＰｄＣｕ合金からなる反射膜を含み、第２の誘電体層１６がＣｅＯ２から構成され、第１の誘電体層２０がＡｌ２Ｏ３から構成されている。
【００３４】
サンプルＣは、反射層１４がＡｇＰｄＣｕ合金からなる反射膜を含み、第２の誘電体層１６がＳｉＯ２：ＺｎＳ（ｍｏｌ％）５０：５０から構成され、第１の誘電体層２０がＡｌ２Ｏ３から構成されている。
【００３５】
これらのサンプルは、サンプルＣよりサンプルＢの方が冷却効果が高く、サンプルＢよりサンプルＡの方が冷却効果が高い。
【００３６】
これらのサンプルをヒーターで温め、非接触温度計により温度を制御し、高温環境下での記録特性を評価した。なお、記録速度は２倍速（９．８４ｍ／ｓ）とし、常温（２５℃）下、高温（６０℃）下、及び冷却下で記録を行った。
【００３７】
なお、変調方式は、高密度記録に有効とされている１．７ＰＰ（Ｐｅａｋ  Ｔｏ  Ｐｅａｋ）値変調方式で、（１．７）ＲＬＬ（Ｒｕｎ  Ｌｅｎｇｔｈ  Ｌｉｍｉｔｅｄ）符号の最短マークは２Ｔとなる。Ｔは１クロック周期で、Ｔ＝１５．１５ｎｓであり、基準となる記録線速度は４．９２ｍ／ｓであり、最短マーク長は０．１４９μｍである。また、ここで記録光学系は、対物レンズのＮＡ（開口数）が０．８５、記録用レーザ波長が４０５ｎｍとしたが、本発明の高密度記録は、λ／ＮＡ≧７００とする。
【００３８】
また、各記録マークを形成するためのレーザ光の出射状態（パルス数、各パルスのパルス幅、パルス間隔の設定）を記録ステラジという。本実施例では、光記録媒体のサンプルＡ、Ｂ、Ｃに対し、最適記録ステラジを使用して、記録層の所定の位置に信号を記録して、記録時及び再生時のジッタ値が最適となるように調整した。同様に、記録パワーＰｗのレベル、バイアスパワーＰｅのレベルも、記録時及び再生時のジッタ値が最適となるように調整した。
【００３９】
記録特性を評価するには、例えば、再生パワーＰｒのレベルのレーザ光を照射して記録マークを再生し、得た再生信号のジッタ値を評価する方法がある。
【００４０】
ジッタ値は、記録マーク及びブランクに対して再生パワーＰｒのレベルのレーザ光を照射して信号を読み取る際の、記録マークのエッジとクロックの基準位置からのずれであり、タイムインターバルアナライザーにより測定される。
【００４１】
バイアスパワーＰｅのレベルを上げすぎると熱がたまり、記録マークの前端におけるジッタ値が劣化し、最短の記録マークが小さくなってしまう。また、基底パワーＰｂのレベルを上げすぎると熱がたまり、記録マークが小さくなってしまう。そのためメディアに最適な記録パワーＰｗのレベル、バイアスパワーＰｅのレベル、基底パワーＰｂのレベルを組み合わせてジッタ値が最も小さい値となるように、最適記録条件を求める。
【００４２】
常温で、高温環境下の記録特性を評価する場合には、例えば、評価対象の光記録媒体と同種の他の光記録媒体に対して、記録パワーＰｗのレベルを固定し、基底パワーＰｂのレベルを、常温ジッタ値が最低となるようにし、目標とする高温環境下及び常温環境下で基底パワーＰｂのレベルを段階的に増加させて信号を記録する。ここで、基底パワーＰｂのレベルの上限は、バイアスパワーＰｅのレベルよりも低い値とする。バイアスパワーＰｅのレベル以上の値では、目的の記録層の所定の領域を急冷し、結晶状態からアモルファス状態に変化させることができないからである。
【００４３】
このとき得られる、高温ジッタ値と、常温ジッタ値との相関関係を予め求めておく。この相関関係は、前述したように、例えば図４のようなグラフであったり、それぞれの数値を収めたデータベースであってもよい。そして、評価対象の光記録媒体の常温ジッタ値を得ることで、グラフや表に表された相関関係から、評価対象の光記録媒体の高温ジッタ値を推測し、この高温ジッタ値を評価することで、高温環境下での記録特性を評価することができる。
【００４４】
また、前述したように、評価装置に折れ線グラフで表されるような線図やデータベースを記録させておき、評価対象の光記録媒体の常温ジッタ値を得て、記録されたグラフ等に表された相関関係から、評価対象の光記録媒体の高温ジッタ値を求めることもできる。
【００４５】
ここで、記録特性として、ジッタ値の代わりに出力値を用いてもよい。また、評価対象の光記録媒体と同種の他の記録媒体について、常温ジッタ値のレーザ光の基底パワーのレベルのマージンと高温ジッタ値との相関関係を予め求めておき、評価対象の光記録媒体の常温ジッタ値のレーザ光の基底パワーのレベルのマージンから、評価対象の光記録媒体の高温ジッタ値を推測するようにしてもよい。この方法においても、ジッタ値の代わりに出力値を用いることができる。
【００４６】
さらに、評価対象の光記録媒体と同種の他の記録媒体について、高温ジッタ値が最低となる時のレーザ光の基底パワーのレベル（以下、高温ジッタ値最適基底レベルという）を得て、その高温ジッタ値最適基底レベルの基底パワーでの記録特性を予め求めておき、評価対象の光記録媒体のレーザ光の基底パワーの高温ジッタ値最適基底レベルから、評価対象の光記録媒体の高温環境下での記録特性を推測するようにしてもよい。
【００４７】
本実施例においては、記録特性としてジッタ値（Ｊｉｔｔｅｒ）、出力（ＰＰ値）、ジッタ値の差（Δｊｉｔｔｅｒ）を採用した。結果を図２乃至図１０に示す。
【００４８】
ジッタ値については、サンプルＡを図４に、サンプルＢを図５に、サンプルＣを図６に示す。ＰＰ値については、サンプルＡを図７に、サンプルＢを図８に、サンプルＣを図９に示す。ジッタ値の差については、サンプルＡを図１０に、サンプルＢを図１１に、サンプルＣを図１２に示す。
【００４９】
図４乃至図１２から分かるように、冷却効果の異なるどのサンプルにおいても、高温環境下（６０℃）での高温ジッタ値、出力値の記録特性に劣化が起きている。また、常温環境下（２５℃）での基底パワーＰｂのレベルが０．４ｍＷの常温ジッタ値、出力値の値が高温環境下（６０℃）での記録特性に一致している。
【００５０】
また、急冷効果が低くなるに従い、常温環境下（２５℃）での基底パワーＰｂのレベルのマージンは低くなる傾向にあることが分かる。さらに、図６、図９、図１２において顕著であるが、高温環境下（６０℃）記録では基底パワーＰｂのレベルの増加に対する高温ジッタ値、ＰＰ値、ジッタ値の差それぞれの悪化の度合いが大きくなる傾向にあることが分かる。
【００５１】
特に、基底パワーＰｂのレベルの増加に対するＰＰ値の減少の度合いが大きくなる傾向にある原因はセルフイレーズの影響によるものと思われる。
【００５２】
図４乃至図６から分かるように、常温環境下（２５℃）記録、高温環境下（６０℃）記録及び冷却下記録でのそれぞれのジッタ値は、レーザ光の基底パワーＰｂのレベルが増加するに従って高くなっており、それぞれ相関関係がある。したがって、常温環境下（２５℃）記録における常温ジッタ値より高温環境下（６０℃）記録における高温ジッタ値を推測することができ、高温環境下での光記録媒体の特性を評価することができる。
【００５３】
また、図７乃至図９から分かるように、常温環境下（２５℃）記録、高温環境下（６０℃）記録及び冷却下記録でのそれぞれのＰＰ値は、レーザ光の基底パワーＰｂのレベルが増加するに従って高くなっており、それぞれ相関関係がある。したがって常温環境下（２５℃）記録におけるＰＰ値より高温環境下（６０℃）記録におけるＰＰ値を求めることができ、高温環境下での光記録媒体の特性を評価することができる。
【００５４】
また、図７乃至図９から分かるように、図４において、例えばジッタ値が１０％以下となるレーザ光の基底パワーＰｂのレベルのマージンは、常温環境下（２５℃）記録及び冷却下記録では約０．５ｍＷ以下、高温環境下（６０℃）記録では約０．３ｍＷ以下となる。同様に、図５においては、常温環境下（２５℃）記録では約０．４ｍＷ以下、冷却下記録では約０．５ｍＷ以下、高温環境下（６０℃）記録では約０．２ｍＷ以下となる。図６においては、例えばジッタ値が１４％以下となるレーザ光の基底パワーＰｂのレベルのマージンは、常温環境下（２５℃）記録及び冷却下記録では約０．５ｍＷ以下、高温環境下（６０℃）記録では約０．３ｍＷ以下となる。
【００５５】
以上より、常温環境下（２５℃）記録における常温ジッタ値のレーザ光の基底パワーのレベルのマージンから、高温環境下（６０℃）記録における高温ジッタ値のレーザ光の基底パワーのレベルのマージンを推測することができ、光記録媒体の特性を評価することができる。
【００５６】
また、図７において、例えばＰＰ値が１４０ｍＶ以上となるレーザ光の基底パワーＰｂのレベルのマージンは、常温環境下（２５℃）記録、冷却下記録及び高温環境下（６０℃）記録ともに約０．５ｍＷ以下となる。同様に、図８においては、常温環境下（２５℃）記録及び冷却下記録では約０．５ｍＷ以下、高温環境下（６０℃）記録では約０．２ｍＷ以下となる。同様に図９においては、常温環境下（２５℃）記録及び冷却下記録では約０．５ｍＷ以下、高温環境下（６０℃）記録では約０．２ｍＷ以下となる。
【００５７】
以上より、常温環境下（２５℃）記録におけるＰＰ値のレーザ光の基底パワーのレベルのマージンから、高温環境下（６０℃）記録におけるＰＰ値のレーザ光の基底パワーのレベルのマージンを推測することができ、光記録媒体の特性を評価することができる。
【００５８】
さらに、図１０において、例えばΔＪｉｔｔｅｒが２％以下となるレーザ光の基底パワーＰｂのレベルのマージンは、常温環境下（２５℃）記録、冷却下記録、及び高温環境下（６０℃）記録ともに約０．７ｍＷ以下となる。同様に、図９においては、常温環境下（２５℃）記録及び冷却下記録では、約０．５ｍＷ以下、高温環境下（６０℃）記録では、約０．４ｍＷ以下となる。図１２において、ΔＪｉｔｔｅｒが４％以下となるレーザ光の基底パワーＰｂのレベルのマージンは、常温環境下（２５℃）記録及び冷却下記録では、約０．５ｍＷ以下、高温環境下（６０℃）記録では、約０．４ｍＷ以下となる。
【００５９】
さらに、上記ジッタ値及びＰＰ値に限らず、常温環境下（２５℃）記録における他の記録特性により、光記録媒体を評価することも可能である。特にジッタ値とエラー値（ＳＥＲ：Ｓｙｍｂｏｌ  Ｅｒｒｏｒ  Ｒａｔｅ  または  ＢＥＲ：Ｂｉｔ  Ｅｒｒｏｒ  Ｒａｔｅ）に相関があることは発明者も確認している。ここでは詳細なデータは省くが、実験確認により、ジッタ値に代えてエラー値でも同様に評価することが可能であることを確認している。
【００６０】
本明細書では、書き換え型の光記録媒体を例に本発明の説明を行ったが、前記記録ストラテジが追記型の光記録媒体に対して適用でき、本発明の内容が追記型の光記録媒体に対しても有用であることも別途確認している。本発明は記録媒体の構成組成にかかわらず、前記記録ストラテジを適用可能な光記録媒体に対して適用可能であることは言うまでもない。
【図面の簡単な説明】
【００６１】
【図１】本発明の実施例に係る評価装置を模式的に示すブロック図
【図２】本発明の実施例に係る評価システムを模式的に示すブロック図
【図３】本発明の実施例に係る光記録媒体の全体構造を模式的に示す側断面図
【図４】本発明の実施例に係る光記録媒体のサンプルＡのジッタ値とレーザ光の基底パワーＰｂのレベルとの関係を示す線図
【図５】本発明の実施例に係る光記録媒体のサンプルＢのジッタ値とレーザ光の基底パワーＰｂのレベルとの関係を示す線図
【図６】本発明の実施例に係る光記録媒体のサンプルＣのジッタ値とレーザ光の基底パワーＰｂのレベルとの関係を示す線図
【図７】本発明の実施例に係る光記録媒体のサンプルＡの出力とレーザ光の基底パワーＰｂのレベルとの関係を示す線図
【図８】本発明の実施例に係る光記録媒体のサンプルＢの出力とレーザ光の基底パワーＰｂのレベルとの関係を示す線図
【図９】本発明の実施例に係る光記録媒体のサンプルＣの出力とレーザ光の基底パワーＰｂのレベルとの関係を示す線図
【図１０】本発明の実施例に係る光記録媒体のサンプルＡの記録特性とレーザ光の基底パワーＰｂのレベルとの関係を示す線図
【図１１】本発明の実施例に係る光記録媒体のサンプルＢの記録特性とレーザ光の基底パワーＰｂのレベルとの関係を示す線図
【図１２】本発明の実施例に係る光記録媒体のサンプルＣの記録特性とレーザ光の基底パワーＰｂのレベルとの関係を示す線図
【符号の説明】
【００６２】
１０…光記録媒体
１２…基板
１４…反射層
１６…第２の誘電体層
１８…記録層
２０…第１の誘電体層
２２…光透過層
３０…評価装置
３１…入力部
３２…記憶部
３４…情報処理部
３６…表示部
４１…入力装置
４２…記憶装置
４４…情報処理装置
４６…ディスプレイ
【図１】
2008165942.tif 000003
【図２】
2008165942.tif 000004
【図３】
2008165942.tif 000005
【図４】
2008165942.tif 000006
【図５】
2008165942.tif 000007
【図６】
2008165942.tif 000008
【図７】
2008165942.tif 000009
【図８】
2008165942.tif 000010
【図９】
2008165942.tif 000011
【図１０】
2008165942.tif 000012
【図１１】
2008165942.tif 000013
【図１２】
2008165942.tif 000014